(57)【特許請求の範囲】
【請求項１】
駆動源と、前記駆動源からの駆動力を伝達する伝達輪列と、前記伝達輪列を軸支するフレームと、前記伝達輪列を介して所望の振動数で振動する振り子と、前記伝達輪列中に設けられているリズム形成部と、前記リズム形成部に制御されて所望のリズムで打鈴されるリンと、前記所望のリズムを選択する拍子切換え部材と、を備えた機械体が外装ケース内に収納され、
前記拍子切換え部材は、前記機械体と、前記外装ケースとが組み合わされた後に、前記外装ケースに設けられたガイド穴から挿入される操作部材を介して操作され、
前記操作部材は、前記外装ケースに設けられた前記ガイド穴から内端部が挿入された後に、当該内端部が前記拍子切換え部材の揺動端側に連結され、
前記内端部には、弾性的に変形し、前記操作部材と前記拍子切換え部材とを係止するための係止爪が設けられている、
ことを特徴とするメトロノーム。
【発明の詳細な説明】
【０００１】
【発明の属する技術分野】
本発明は、駆動源からの駆動力により振り子が所定の振動数で振動され、駆動源からの伝達輪列中にリズム形成部が設けられ、このリズム形成部によりシュモクが制御されてリンを打鈴することにより所望のリズムを形成するメトロノームに関する。
【０００２】
【従来の技術】
このようなメトロノームの構成は、振り子に移動可能に遊錘を設け、遊錘を移動させて振動数を選択し、振り子の振動は伝達輪列中のホイールに設けた逃げ板により制御し、拍子切換え部材を揺動可能に支持し、拍子切換え部材にシュモクを取り付け、シュモクの先端部をリズム形成部に当接し、拍子切換え部材を揺動させてシュモクのリズム形成部への当接位置を切換えてリズムを選択するようにしている。リズムの選択は使用者によって行われるので、拍子切換え部材を揺動させるための操作部材は、メトロノームの外装ケースから外方へ突出させてある。したがって操作部材を機械体側に固定したままで機械体を外装ケース内へ装着することは困難である。このために操作部材の挿入側端部を、外装ケースの開口外側から内側へ挿入し、機械体側の拍子切換え部材にねじ込んで連結する構造になっていた。
【０００３】
【発明が解決しようとする課題】
このように構成した場合、使用者が操作部材の外端部を持って左右に移動させて拍子切換え部材を揺動させるという動作を繰り返しているうちに、操作部材が回転してねじによる連結が外れるという問題が生じる。操作部材が一旦外れると、連結のため再びねじ込もうとしても、拍子切換え部材との相互の位置合わせを外装ケースの外から行うことは難しく、再連結できないという問題がある。更に、操作部材は小さい部品であるので、紛失してしまうという問題もあった。
【０００４】
そこで本発明は、操作部材をメトロノームの組立過程で連結した後は、使用者がリズムの選択のために繰り返し使用しても、連結が外れることのない構成にする。
【０００５】
【課題を解決するための手段】
そこで本発明のメトロノームは、駆動源と、前記駆動源からの駆動力を伝達する伝達輪列と、前記伝達輪列を軸支するフレームと、前記伝達輪列を介して所望の振動数で振動する振り子と、前記伝達輪列中に設けられているリズム形成部と、前記リズム形成部に制御されて所望のリズムで打鈴されるリンと、前記所望のリズムを選択する拍子切換え部材と、を備えた機械体が外装ケース内に収納され、前記拍子切換え部材は、前記機械体と、前記外装ケースとが組み合わされた後に、前記外装ケースに設けられたガイド穴から挿入される操作部材を介して操作され、前記操作部材は、前記外装ケースに設けられた前記ガイド穴から内端部が挿入された後に、当該内端部が前記拍子切換え部材の揺動端側に連結される連結手段が設けられ、前記連結手段には、弾性的に変形し、前記操作部材と前記拍子切換え部材とを係止するための係止爪が設けられている、ことを特徴としている。この構成により、一旦組み立てられた後で、使用者がリズムの選択のために操作部材を繰り返し使用しても、拍子切換え部材との連結が外れることがなく、安心して継続して使用することが可能である。
【０００６】
前記外装ケースには、前記ガイド穴に沿って拍子目盛が設けてあり、前記操作部材には、前記外装ケース外側に位置する端部に操作つまみとこの操作つまみから突出し前記拍子目盛を指示する指示突起が設けてあることが好ましい。この構成によりリズムを選択することが容易になる。
【０００７】
また、前記操作部材には、誤挿入を防止するための段差部が設けてあることが好ましい
【０００８】
【発明の実施の形態】
本発明の実施の一形態について説明する。
【０００９】
図３、図６乃至図８はメトロノームの機械体の構成を示している。フレーム１は直角に屈成されており、水平部１Ａと垂直部１Ｂと、水平部１Ａの前端部に穴部を設けて屈成してなる振り子の取付部１Ｃとからなる。水平部１Ａには、垂直部１Ｂと所定の間隔で平行に対向する第２フレーム２がねじ２ａ，２ｂにより固定されている。
【００１０】
垂直部１Ｂと第２フレーム２とによって、振り子を駆動する伝達輪列が軸支してある。即ち、駆動源としてぜんまい３を用い、ぜんまい３の巻上げ軸を１番軸４として、その両端を前記の平行に対向する垂直部１Ｂと第２フレーム２に回転自在に軸支している。１番軸４に１番歯車５を軸支している。２番軸６を前記の垂直部１Ｂと第２フレーム２に回転自在に軸支し、２番軸６には１番歯車５と噛合可能に２番ピニオン７を設けると共に２番歯車８を軸支している。３番軸９を前記の垂直部１Ｂと第２フレーム２に回転自在に軸支し、３番軸９には２番歯車８と噛合可能に３番ピニオン１０を設けている。３番軸９にはホイール１１を回転不能にかつ軸方向には移動可能に設けてある。ホイール１１は、つば部１１ａ、１１ｂに挟まれた筒状のもので、この筒状の部分には、軸方向に２分された両側に、中心角１８０度離れて外方へ突出するようにつば部１１ａ側の逃げ板１１ｃと、つば部１１ｂ側の逃げ板１１ｄとが設けてある。ホイール１１を軸方向へ位置決めするために、水平部１Ａから１対の位置決め板１２ａ、１２ｂを垂設させ、つば部１１ａ、１１ｂを外側から挟んでいる。
【００１１】
取付部１Ｃに設けてある軸受１３ｂと、水平部１Ａに固定されている不図示の軸受とによって、振り子軸１３が前後方向へ水平状態にかつ回動可能に軸支してある。振り子軸１３の前端近傍には振り子受け１４が固着してあり、この振り子受け１４に振り子１５が固定してある。また振り子軸１３には、ホイール１１の両逃げ板１１ｃ、１１ｄの中間に向かって径方向へ突出する振り子ピン（不図示）が設けてあり、この振り子ピンがホイール１１の回転につれて両逃げ板に交互に係合することにより振り子１５を揺動駆動する。振り子１５には振り子受け１４より上方の位置に、上下に移動可能に遊錘１６を設けてある。また振り子１５の下端部に、固定錘１７がピン１８により設けてある。遊錘１６を上下に所望の位置に移動させることにより、所望の振動数で振り子１５を振動させることができる。図７に示すように、１番軸４の第２フレーム２からの突出部近傍に、巻止めくさび１９と巻止め歯車２０が設けてある。
【００１２】
図６に示すように、垂直部１Ｂに揺動自在に拍子切換え部材２１が軸支してある。即ち、拍子切換え部材２１の上部位置で垂直部１Ｂに係合し、この係合部を揺動中心として拍子切換え部材２１は揺動自在である。垂直部１Ｂの下端の縁部１ｄは揺動中心と同心円弧状をしており、拍子切換え部材２１の下端に設けたガイド突起２１ａ（図３図示）が垂直部の円弧状の縁部１ｄにガイドされるようにしてある。また垂直部１Ｂには、円弧状の縁部１ｄに平行な円弧状の長孔１ｅが設けてある。拍子切換え部材２１の下端部には、後述する操作部材４５の連結穴２１ｂが設けてある。拍子切換え部材２１の上端部には、リン２２がねじ２３により固定されている。リン２２を打鈴する打ち玉２４はシュモク板２５の上端に設けてある。シュモク板２５は揺動中心となるピン２５ａをシュモク板の幅方向に突出させ、このピン２５ａを拍子切換え部材２１に揺動自在に軸支している。シュモク板２５の下端部は延伸して拍子選択部２５ｂになっている。
【００１３】
次に、打鈴する拍子を選択する機構について説明する。拍子切換え部材２１には、垂直部１Ｂの長孔１ｅに対向して窓穴２１ｃが設けてあり、シュモク板２５の拍子選択部２５ｂはこの窓穴２１ｃを貫通し、長孔１ｅを貫通して２番歯車８の側面に当接するようになっている。２番歯車８の側面はリズム形成部８ａになっており、例えば、２拍子、３拍子、４拍子、６拍子などのリズムの１拍目毎にリン２２を打鈴する場合、同一円周上に所定の間隔をおいて凹部８ｂを形成する。具体的には、図６に示すように、４つの同心円周の最外円周上に、２拍子の１拍目を打鈴するように中心角を同一にした１つの凹部８ｂと１つの平坦面（リズム形成部）８ａとを１対として複数対整列させる。これの隣の円周上に、３拍子の１拍目を打鈴するように１つの凹部と２つの平坦面（リズム形成部）とを１対として複数対整列させる。これの隣の円周上に、４拍子の１拍目を打鈴するように１つの凹部と３つの平坦面（リズム形成部）とを１対として複数対整列させる。そして最内周の円周上に、６拍子の１拍目を打鈴するように１つの凹部と５つの平坦面（リズム形成部）とを１対として複数対整列させるようにしてある。中心部は凹部を設けない領域であって、拍子を打たない場合に選択される領域としている。拍子切換え部材２１を揺動させるとシュモク板２５も共に揺動し、その拍子選択部２５ｂが長孔１ｅに沿って移動する。その先端がリズム形成部８ａの所望の円周位置に当接するようにすれば、所望のリズムが選択できる。
【００１４】
このように遊錘１６を移動させて振動数を選択し、拍子切換え部材２１を揺動させて所望のリズムを選択する構成では、組立時にホイール１１の初期位置と、２番歯車８の初期位置とを一致させておくことが必要である。即ち、ホイール１１の初期位置は、振り子ピンがホイール１１の一方の逃げ板１１ｃまたは１１ｄのいずれかに係合している位置であり、２番歯車８の初期位置は、拍子選択部２５ｂがリズム形成部８ａの１拍目の凹部に当接する直前の位置である。組立時にこの両初期位置の相対位置関係を合わせておけば、始動直後に１拍目を打つことが可能になる。
【００１５】
そこで２番歯車８とホイール１１を初期位置に位置決めするための透孔を、予め２番歯車８とホイール１１と垂直部１Ｂとの間で設けておく。即ち、ホイール１１に１つの透孔（不図示）を設け、垂直部１Ｂには、ホイール１１の初期位置でこの透孔に対向する位置に第１の位置決め用透孔３０ｂ（図６図示）を設ける。また、２番歯車８に１つの透孔（不図示）を設けておき、垂直部１Ｂには、２番歯車８の初期位置でこの透孔に対向する位置に第２の位置決め用透孔３１ｂ（図６図示）を設けておく。組立時には、１本のピンを第１の位置決め用透孔３０ｂからホイールの透孔に貫通させ、もう１本のピンを第２の位置決め用透孔３１ｂから歯車の透孔に貫通させ、２番軸６と３番軸９とを垂直部１Ｂと第２フレーム２とで軸支する。その後でピンを抜けば、ホイール１１の初期位置と２番歯車８の初期位置との相対位置関係を合わせ込むことができ、一旦組み立てられた後では両初期位置の相対位置関係がずれることはない。１番軸４、リン２２等を組み立てる場合には通常の通りに行えばよい。
【００１６】
メトロノームの外装ケースは、図１および図２に示すように、上蓋４１と下蓋４２とをねじ止めやいわゆるパッチン止め等の適宜の手段により連結したものである。振り子１５を貫通させて前面に露出させるための開口４１ａが形成してある。上蓋４１の前面には、前面に振動数が表示してある振動数表示板４３が固定してあり、その上端部に振り子１５の上端を固定するための固定部４４が設けてある。また上蓋４１の左面には、拍子切換え部材２１を揺動駆動するための操作部材４５が挿入されて左右に移動可能なガイド穴４１ｂが設けてある。ガイド穴４１ｂの上辺に沿って２拍子、３拍子等の拍子目盛４１ｃが設けてある。上蓋４１の右面には、ぜんまい３の巻上げ軸である１番軸４に対向する位置に開口４１ｄ（図３図示）が設けてあり、ぜんまい３の巻上げ部材４６を挿入可能にしてある。１番軸４と巻上げ部材４６との連結は、ぜんまい３の巻上げ方向回りのねじ結合である。下蓋４２の下面には、２つの前脚４２ａと１つの後脚４２ｂとなる３個の突起が形成してある。
【００１７】
図４に示すように、操作部材４５は、外装ケース４１の外側に位置する端部（左端部）に操作つまみ４５ａを有し、外装ケース内側へ向かって連結軸部４５ｂが延伸している。操作つまみ４５ａの上半部分には、拍子目盛４１ｃを指示可能な指示突起４５ｃが設けてある。連結軸部４５ｂの内端部（右端部）、即ち外装ケース４１のガイド穴４１ｂへの挿入側端部には、操作部材の誤挿入を防止するための上面を切欠した段差部４５ｄが設けてある。また内端部は、割り溝４５ｅにより弾性を付与してあり、その先端には、弾性的に変形することにより拍子切換え部材２１に係止される係止爪部４５ｆが設けてある。段差部４５ｄは切欠によらず膨出する段差部であってもよい。
【００１８】
前記のように構成されたメトロノームの機械体を、外装ケースの上蓋４１内に挿入し、操作部材４５を拍子切換え部材２１の連結穴２１ｂに連結する。このときは、図５に示すように、操作部材４５の連結軸部４５ｂを、段差部４５ｄを上方に位置させ（図４（ａ）の姿勢）、ガイド穴４１ｂから挿入し、内端部を連結穴２１ｂに圧入する。内端部は弾性変形して連結穴２１ｂを貫通し、連結穴を通過したときに弾性的に変形して係止爪部４５ｆが連結穴２１ｂの縁に係止する。指示突起４５ｃは上方に位置して拍子目盛４１ｃを指示する（図１図示）。よって、リズムを容易に確認できるので、リズム選択が容易になる。連結軸部４５ｂをガイド穴４１ｂから挿入する際に、段差部４５ｄを下方に位置させて挿入しようとすると、段差部４５ｄが連結穴２１ｂの下方に設けられた突起部２１ｄに当接し、内端部を連結穴２１ｂに挿入できないので、間違った姿勢で挿入することがない。間違った姿勢では、指示突起４５ｃが下方を指し、拍子目盛４１ｃを指すことができない。
【００１９】
次いで１番軸４が開口４１ｄに対向するように位置させ、ぜんまいの巻上げ部材４６を開口４１ｄから挿入し、ぜんまいの巻上げ方向に回転して１番軸４にねじ合わせる。その後で下蓋４２を上蓋４１に結合してメトロノームの組み立てが完了する。
【００２０】
操作部材４５は、一旦係止爪部４５ｆが連結穴２１ｂに係止した後は、操作つまみ４５ａを持ってガイド穴４１ｂに沿って左右に移動させてリズムの選択動作を行っても、係止爪部４５ｆにより、操作部材４５が拍子切換え部材２１から外れて離脱することはない。
【００２１】
また、修理等で外装ケース４１から機械体を取り出す場合には、係止爪部４５ｆをピンセット等で挟んで弾性変形させることにより、操作部材４５を容易に取り外すことができる。
【００２２】
使用に際して、遊錘１６を上下に移動して振動数を決め、操作部材４５によって拍子切換え部材２１を揺動させ、拍子選択部２５ｂがリズム形成部８ａの所望のリズム、例えば３拍子を選択する場合には、最外周から２番目の円周上に当接する位置に合わせる。振り子１５の揺動を始動させると、それまで逃げ板１１ｃまたは１１ｄが振り子ピンに当接して回転を阻止されていたホイール１１が回転可能になり、ぜんまい３の駆動力が、１番歯車５、２番ピニオン７、２番歯車８、３番ピニオン１０を介してホイール１１に伝達されて回転する。ホイール１１に回転が伝達される途中で２番歯車８は回転を始めており、このとき拍子選択部２５ｂが凹部８ｃに落ちてシュモク板２５がピン２５ａを中心に揺動し、シュモク板２５の先端の打ち玉２４がリン２２を打撃して１拍目を打鈴する。振り子ピンが次の逃げ板１１ｄまたは１１ｃに当接することで１拍目が終わる。そこで振り子１５は反対方向に揺動を始めて２拍目に入る。このように１拍毎に振り子１５が左右に揺動し、リズムの１拍目を打鈴することで振動数に合致したリズムが形成される。
【００２３】
【発明の効果】
このように本発明によれば、拍子切換え部材を、外装ケースに設けたガイド穴から挿入される操作部材を介して駆動するようにし、操作部材には、ガイド穴への挿入側端部に、弾性的に変形可能で、ガイド穴への挿入によって拍子切換え部材に係止される係止爪部を設けたので、一旦組み立てられた後では、使用者がリズムの選択のために操作部材を繰り返し使用しても、拍子切換え部材と操作部材との連結が外れることがなく、安心して継続して使用することができる。
【図面の簡単な説明】
【図１】本発明の実施の一形態を示す左側面図である。
【図２】図１の正面図である。
【図３】図２の上蓋および下蓋を切欠したメトロノームの機械体の正面図である。
【図４】（ａ）は操作部材の正面図、（ｂ）はその平面図である。
【図５】（ａ）は操作部材を拍子切換え部材の連結穴に連結した状態を示す正面図、（ｂ）はその平面図である。
【図６】メトロノームの機械体の左側面図である。
【図７】メトロノームの機械体の右側面図である。
【図８】メトロノームの機械体の平面図である。
【符号の説明】
１                      フレーム
３                      駆動源（ぜんまい）
５，７，８，１０，１１  伝達輪列
８ａ                    リズム形成部
１５                    振り子
２１                    拍子切換え部材
２２                    リン
４１                    外装ケース（上蓋）
４１ｂ                  ガイド穴
４１ｃ                  拍子目盛
４５                    操作部材
４５ａ                  操作つまみ
４５ｃ                  指示突起
４５ｄ                  段差部
４５ｆ                  係止爪部
【図１】
0004097928.tif 000002
【図２】
0004097928.tif 000003
【図３】
0004097928.tif 000004
【図４】
0004097928.tif 000005
【図５】
0004097928.tif 000006
【図６】
0004097928.tif 000007
【図７】
0004097928.tif 000008
【図８】
0004097928.tif 000009